【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
凹状に形成された乾燥室と、前記乾燥室を形成する１つの面から噴流を噴射する噴流発生部を備えたノズル部と、前記噴流発生部から噴出する空気を送出するファンモータとを備えた手乾燥装置であって、前記噴流発生部が移動することを特徴とする手乾燥装置。
【請求項２】
噴流発生部が回転移動することを特徴とする請求項１記載の手乾燥装置。
【手続補正２】
【補正対象書類名】明細書
【補正対象項目名】全文
【補正方法】変更
【補正の内容】
【発明の詳細な説明】
【発明の名称】手乾燥装置
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、高速風により乾燥する方式としたものが知られている（例えば、特許文献１参照）。
【０００３】
以下、その手乾燥装置について図４０及び図４１を参照しながら説明する。
【０００４】
図４０、図４１に示すように、壁面に固定された本体１０１は、下部に高速噴流を噴き出すノズル部１０２と前記ノズル部１０２から高速噴流を噴き出す方向に設置された水滴回収手段である水受け１０３を付属している。前記ノズル部１０２と前記水受け１０３の間に手を挿入して乾燥させるための処理空間１０４が形成される。本体１０１内には送風手段１０５、発熱手段１０６および制御手段１０７が設けられている。処理空間１０４の中に挿入された手を検知して送風手段１０５および発熱手段１０６に通電するための検知手段１０８を本体１０１の一部に付属している。
【０００５】
上記構成において濡れた手を処理空間１０４に挿入すると、検知手段１０８により手の存在を検知して、送風手段１０５および発熱手段１０６を動作させる。これにより本体下部に設置された吸込口１０９から外部空気を吸込み、送風手段１０５と発熱手段１０６を経由して温風が形成されてノズル部１０２より送風される。このとき差し出した手に温風が当たり、手を乾燥させる。手を引っ込めると検知手段１０８の検出がなくなるので、送風手段１０５および発熱手段１０６は停止する。このような運転の作業を制御手段１０７にて実施する。
【０００６】
手から離れた水滴は水受け１０３に集められるが、ノズル部１０２の送風により飛散しやすくなるため、水受け１０３の前部および側部の突出壁１１０を付属して周囲への飛散を防止する構成になっている。また水受けにて回収した水滴は、水受けにあるドレン穴１１１を通過して、ドレンタンク１１２に一定の量を溜められる。ドレンタンク１１２は定期的にメンテナンスされ回収された水滴を廃棄するようになっている。
【０００７】
また、両面から高速風を噴出すことにより乾燥する方式としたものが知られている（例えば、特許文献２参照）。
【０００８】
以下、その手乾燥装置について図４２、図４３を参照しながら説明する。
【０００９】
図４２及び図４３に示すように、壁面に固定された本体２０１は、高速噴流を噴き出す噴出ノズル２０２を対に対峙した形で付属している。前記噴出ノズル２０２の対峙した空間に手を挿入して乾燥させるための処理空間４０４が本体内部に形成される。その処理空間４０４の下方に水滴回収手段である水受け２０３を付属している。本体２０１内には送風手段２０５および制御手段２０７が設けられている。処理空間４０４の中に挿入された手を検知して送風手段２０５に通電するための検知手段２０８を本体２０１の一部に付属している。上記構成において濡れた手を処理空間４０４に挿入すると、検知手段２０８により手の存在を検知して、送風手段２０５を動作させる。これにより本体下部に設置された吸込口２０９から外部空気を吸込み、送風手段２０５を経由して風が形成されて噴出ノズル１０２より送風される。このとき差し出した手に風が当たり、手を乾燥させる。手を引っ込めると検知手段２０８の検出がなくなるので、送風手段２０５は停止する。このような運転の作業を制御手段２０７にて実施する。
【特許文献１】特開平１０−７１１０１号公報
【特許文献２】特開平５−２９３０５５号公報
【発明の開示】
【発明が解決しようとする課題】
【００１０】
このような従来の手乾燥装置では、手を早く乾かすためには一度に噴流を手に当てる必要があるが風量が多く必要であるという課題があり、また手を動かさなければ水滴がすべて除去できないという課題がある。本発明は、このような従来の課題を解決するものであり、少ない風量で手全体に噴流を接触させることができ、また手を動かさなくても、水滴を自動で除去してくれることができる手乾燥装置を提供することを目的としている。
【００１１】
また、回転ノズルだけでは、手に付着した水滴を除去できない箇所があるという課題がある。本発明は、このような従来の課題を解決するものであり、静止ノズルを組み合わせることで手に付着した水滴を除去することができる手乾燥装置を提供することを目的としている。
【課題を解決するための手段】
【００１２】
本発明の手乾燥装置は、上記目標を達成するため凹状に形成された乾燥室と、乾燥室を形成する１つの面から噴流を噴射する噴流発生部を備えたノズル部と、噴流発生部から噴出する空気を送出するファンモータとを備えた手乾燥装置であって、噴流発生部が場所を移動することを特徴とする。そして、本発明によれば少ない風量で手全体に噴流を接触させることができるとともに手を動かさなくても、水滴を自動で除去してくれることができる手乾燥装置が得られる。
【００１３】
また、噴流発生部が回転移動することを特徴とする。
【発明の効果】
【００１４】
本発明によれば凹状に形成された乾燥室と、乾燥室を形成する１つの面から噴流を噴射する噴流発生部を備えたノズル部と、噴流発生部から噴出する空気を送出するファンモータとを備えた手乾燥装置であって噴流発生部が場所を移動することにより手乾燥を速やかに実施できると共に、噴流発生部を多く設置する必要がないため、ファンモータからの風量を少なくすることができるため本体の消費電力を少なくできるとともに本体の大きさをコンパクトにすることができるという効果のある手乾燥装置を提供できる。
【００１５】
また、噴流発生部が回転移動することにより同様の効果のある手乾燥装置を提供できる。
【発明を実施するための最良の形態】
【００１６】
本発明の請求項１記載の発明は、凹状に形成された乾燥室と、乾燥室を形成する１つの面から噴流を噴射する噴流発生部を備えたノズル部と、噴流発生部から噴出する空気を送出するファンモータとを備えた手乾燥装置であって噴流発生部が場所を移動するものであり、手を上下または前後に動かす必要がなく、噴流発生部が移動して手に付着した水分を除去することで、手乾燥を速やかに実施することができるという作用を有する。
【００１７】
また、ファンモータから回転ノズルまでに空気を連通する流路内部に高圧部を備え、軸受は、前記高圧部と大気圧部の両側に接触する構成としたものであり、軸受を高圧部と大気圧部の両側に接触する構成とすることで、高圧部より大気圧部へ連通する面積を小さくでき、空気漏れを抑えることができるという作用を有する。
【００１８】
以下、本発明の実施の形態について図面を参照しながら説明する。
（実施の形態１）
本願発明の実施の形態１は、図１から図４に示すように、壁面に固定された手乾燥装置１は、手乾燥装置１の上部にノズル部２を持ち、ノズル部２から高速噴流を噴き出す方向に設置された水滴回収手段である乾燥室３を付属している。ノズル部２と乾燥室３の間に手を挿入して乾燥させるための処理空間４が手乾燥装置１の内部の自由空間に形成される。手乾燥装置１内にはファンモータ５、発熱手段６および制御手段７が設けられている。処理空間４の中に挿入された手を検知してファンモータ５および発熱手段６に通電するための検知手段８を手乾燥装置１の一部に付属している。ファンモータ５の上部に乾燥室３を設置しており、ノズル部２は乾燥室３の上部に位置している。
【００１９】
上記構成において濡れた手を処理空間４に挿入すると、検知手段８により手の存在を検知して、ファンモータ５および発熱手段６を動作させる。これにより本体下部に設置された吸込口９から外部空気を吸込み、ファンモータ５と発熱手段６を経由して温風が形成されてノズル部２より送風される。このとき差し出した手に温風が当たり、手を乾燥させる。
【００２０】
ノズル部２は軸受１０を経由して手乾燥装置１の静止部１１に設置されており、ノズル部２からの高速噴流による運動エネルギーの反力でノズル部２が回転軸１２を中心として回転する構成となっている。したがってノズル部２を回転ノズル１３と表現する。
【００２１】
回転ノズル１３は軸受１０と連結されており、軸受１０はシール付きを使い、高圧部１４と大気圧部１５の両側に接触する構成としている。
【００２２】
軸受１０の外径は回転ノズル１３の外径より小さく、軸受１０の内輪側を通過するように流路を設けている。
【００２３】
回転ノズル１３は、成形可能な合成樹脂により形成されている。
【００２４】
回転ノズル１３には、スリット状または多孔状の噴流発生部１６が少なくとも１つ以上あり、噴流発生部１６が回転ノズル１３の回転と共に場所を変化させる。手を引っ込めると検知手段８の検出がなくなるので、ファンモータ５および発熱手段６は停止する。このような運転の作業を制御手段７にて実施する。これに伴い高速噴流が停止するため、回転ノズル１３の回転も自動的に停止する。
【００２５】
回転ノズル１３に噴流発生部１６が設置された噴流発生部設置面１７は、回転ノズル１３の回転軸１２と平行ではない。また、回転ノズル１３の回転軸１２は、床面に対して平行でない。
【００２６】
噴流発生部１６から噴射される噴流の風速は７０〜１２０ｍ／ｓとすることで、回転ノズル１３を駆動する力を伝達することができる。風速が７０ｍ／ｓより速くとなると回転ノズル１３が駆動しにくくなり、回転数が低下する。また風速が１２０ｍ／ｓより速くなると回転数が増加しすぎて水滴が除去しにくくなり乾燥効果が低下する。
【００２７】
風速が１２０ｍ／ｓより速い場合は、回転ノズル１３の一部に制御翼１８を設置して回転数を調節することもできる。
【００２８】
また、風速が７０ｍ／ｓより遅い場合は、回転ノズル１３をモータ１９にて駆動させる構成とするか、あるいはファンモータ５から回転ノズル１３までに空気を連通する流路２０を備え、流路２０の内にあり、回転ノズル１３の一部に自転装置２６を設け、回転ノズル１３を駆動させる構成とすれば噴流の風速によらず回転させることができる。
【００２９】
回転ノズル１３はバランスの調節をするバランス調整部２１を有することでアンバランスを防ぐことができるため、振動の発生を防止できる。
【００３０】
また、回転ノズル１３に設けた噴流発生部１６の流入側にメッシュを設けたことで、噴流の発生を変化させ、騒音を低減する効果を有することができる。
【００３１】
回転ノズル１３は手が左右あるため、左右対称となるように複数配置すると、１個の設置より効果的である。この場合、複数個ある回転ノズル１３の回転軸１２が平行に設置されている。
【００３２】
回転ノズル１３が左右で逆回転をすることで、左右それぞれの回転ノズル１３の噴流の干渉を防ぐことができるため、水滴が飛散することを防止することができる。
【００３３】
また、回転ノズル１３の外側に静止した防護壁２２を設けて、使用者が回転ノズル１３に接触しにくくすることで安全に使用できるようにしている。
【００３４】
乾燥室３にて回収した水滴は、乾燥室３にあるドレン穴２３を通過して、ドレンタンク２４に一定の量を溜められる。ドレンタンク２４は定期的にメンテナンスされ回収された水滴を廃棄するようになっている。
【００３５】
なお、前記ファンモータ５は、一般的に掃除機などに使用される電動送風機であり、ブラシ付モータによるものおよびブラシレスモータによるものを含み、ターボファンを使用しモータの高速回転による温度上昇を冷却しながら送出するものである。
（参考の形態１）
本発明の参考の形態１は、実施の形態１と同一部分については同一番号を付し、詳細な説明は省略する。
【００３６】
図５に示すように、回転ノズル１３に設置された噴流発生部１６の形状をスリット形状の変わりに複数個の孔または楕円とすることで風量、風速を変化させることもできる。
（参考の形態２）
本発明の参考の形態２は、実施の形態１と同一部分については同一番号を付し、詳細な説明は省略する。
【００３７】
図６に示すように、回転ノズル１３に設置された噴流発生部１６を複数設置させることで、噴流が手に接触する機会が増加し、速やかに水滴を除去することができる。
（参考の形態３）
本発明の参考の形態３は、実施の形態１と同一部分については同一番号を付し、詳細な説明は省略する。
【００３８】
図７に示すように、回転ノズル１３に設置された噴流発生部１６を複数箇所設け、噴流発生部１６の回転軸１２が通る中心点２７から最も遠い位置がそれぞれ異なることで、手の異なる部位に噴流を接触させることができ、速やかに水滴を除去することができる。
（参考の形態４）
本発明の参考の形態４は、実施の形態１と同一部分については同一番号を付し、詳細な説明は省略する。
【００３９】
図８に示すように、複数の回転ノズル１３の各々に設置された噴流発生部１６の設置箇所や形状を変化させることで、手の各部位での水滴除去に最適な構成を作ることができる。
（参考の形態５）
本発明の参考の形態５は、実施の形態１と同一部分については同一番号を付し、詳細な説明は省略する。
【００４０】
図９に示すように、同様に複数の回転ノズル１３の大きさを設置する場所によって変えることで乾燥時間を短縮させることもできる。
（参考の形態６）
本発明の参考の形態６は、実施の形態１と同一部分については同一番号を付し、詳細な説明は省略する。
【００４１】
図１０、図１１に示すように、回転ノズル１３とは別に静止した静止ノズル２５を有することで、回転ノズル１３だけでは除去できない水滴を除去することができる。
【００４２】
静止ノズル２５が左右にある回転ノズル１３の間に設置したり、静止ノズル２５が左右にある回転ノズル１３の周辺にあることも可能である。
（参考の形態７）
本発明の参考の形態７は、実施の形態１と同一部分については同一番号を付し、詳細な説明は省略する。
【００４３】
図１２に示すように、複数個の回転ノズル１３の各々の回転軸１２を交差させることもできる。
（参考の形態８）
本発明の参考の形態８は、実施の形態１と同一部分については同一番号を付し、詳細な説明は省略する。
【００４４】
図１３および図１４に示すように、乾燥室３は、ファンモータ５よりも低い位置に設置したりすることもでき、構成上の都合により設置方法を検討するべきである。
（参考の形態９）
本発明の参考の形態９は、実施の形態１と同一部分については同一番号を付し、詳細な説明は省略する。
【００４５】
図１５から図１８に示すように、壁面又は床面に固定された手乾燥装置１は、手を挿入し、付着した水滴を除去するための処理空間４を有しており、処理空間４は、手から除去された水滴が外部へ飛散しないよう処理空間４の周囲に乾燥室３が形成されている。また、乾燥室３の２つ以上の面にはノズル部２が設けられ、ノズル部２から処理空間４に向かって高速噴流を噴き出す構成となっている。手乾燥装置１内には例えば一般的に掃除機などに使用される電動送風機であり、ブラシ付モータによるものおよびブラシレスモータによるものを含み、ターボファンを使用しモータの高速回転による温度上昇を冷却しながら送出するファンモータ５及び、発熱手段６としての例えばＰＴＣヒータおよびマイコンを搭載した回路基盤としての制御手段７が設けられており、処理空間４の中に手が挿入されると、乾燥室３の一部に設けられた例えば赤外線センサによる検知手段８により手の存在を検知して制御手段７に検知信号を送り、制御手段７によりファンモータ５および発熱手段６の通電が開始される。また、使用者の手を検知手段８が検知しなくなると、制御手段７に検知信号を送らなくなり、制御手段７はファンモータ５および発熱手段６への通電を停止する制御をしている。
【００４６】
上記構成において濡れた手を処理空間４に挿入すると、検知手段８により手の存在を検知して、ファンモータ５および発熱手段６を動作させる。これにより本体下部に設置された吸込口９から外部空気を吸込み、ファンモータ５と発熱手段６を経由して温風が形成されてノズル部２より送風される。このとき差し出した手に温風が当たり、手を乾燥させる。
【００４７】
ノズル部２は軸受１０を経由して手乾燥装置１の静止部１１に設置されており、ノズル部２からの高速噴流による運動エネルギーの反力でノズル部２が回転軸１２を中心として回転する構成となっている。したがってノズル部２を回転ノズル１３と表現する。
【００４８】
回転ノズル１３は軸受１０と連結されており、軸受１０はシール付きを使い、高圧部１４と大気圧部１５の両側に接触する構成としている。軸受１０の外径は回転ノズル１３の外径より小さく、軸受１０の内輪側を通過するように流路を設けている。
【００４９】
回転ノズル１３は、成形可能な合成樹脂により形成されることで安価に製作が可能となり、且つ軽量とすることが可能となる。
【００５０】
回転ノズル１３は例えば手の幅に合わせて直径８０〜１３０ｍｍとし、幅１．５〜２．５ｍｍのスリット状または直径２〜３ｍｍの多孔状の噴流発生部１６が少なくとも１つ以上を有し、噴流発生部１６が回転ノズル１３の回転と共に場所を変化させる。手を引っ込めると検知手段８の検出がなくなるので、ファンモータ５および発熱手段６は停止する。このような運転の作業を制御手段７にて実施する。これに伴い高速噴流が停止するため、回転ノズル１３の回転も自動的に停止する。
【００５１】
回転ノズル１３に噴流発生部１６が設置された噴流発生部設置面１７は、回転ノズル１３の回転軸１２と平行としないことで単一平面に噴流を噴射する構成となり、対象物に絶え間なく噴流を当てることができる。また、回転ノズル１３の回転軸１２は、床面に対して平行でないようにすることで、使用者に対し、使い勝手の良い角度、例えば１０〜３０度の角度とすることで屈まずに手を挿入することができる。
【００５２】
噴流発生部１６から噴射される噴流の風速は７０〜１２０ｍ／ｓとすることで、回転ノズル１３を駆動する力を伝達することができる。風速が７０ｍ／ｓより速くとなると回転ノズル１３が駆動しにくくなり、回転数が低下する。また風速が１２０ｍ／ｓより速くなると回転数が増加しすぎて水滴が除去しにくくなり乾燥効果が低下する。
【００５３】
風速が１２０ｍ／ｓより速い場合は、回転ノズル１３の一部に制御翼１８を設置して回転数を調節することもできる。例えば制御翼１８は図１８に示すように回転方向に対して垂直に設置することにより、回転ノズル１３が回転した際に風を受けて抵抗となるため、回転力を減衰させる作用を利用して回転数を調節するものである。
【００５４】
また、風速が７０ｍ／ｓより遅い場合は、回転ノズル１３をモータ１９にて駆動させる構成とするか、あるいはファンモータ５から回転ノズル１３までに空気を連通する流路２０を備え、流路２０の内にあり、回転ノズル１３の一部に例えば風を受けて回転する風車の作用を使った自転装置２６を設け、回転ノズル１３を駆動させる構成とすれば噴流の風速によらず回転させることができる。
【００５５】
回転ノズル１３はバランスの調節をするバランス調整部２１を有することでアンバランスを防ぐことができるため、振動の発生を防止できる。バランス調整部２１は、回転ノズル１３の重心が回転軸１２と重ならない場合に用いるものであり、回転軸１２を中心とし回転ノズル１３の重心位置と反対位置にバランス調節部２１としての例えばリブ形状の肉厚部を設けることでアンバランスを解消するものである。
【００５６】
また、回転ノズル１３に設けた噴流発生部１６の流入側にメッシュを設けたことで、噴流の発生前に渦を発生させることで噴流を変化させ、騒音を低減する効果を有することができる。メッシュは例えば２０〜８０メッシュサイズのステンレス製金網を使用しても良いし、樹脂製のプリネットフィルターを用いても良い。なお、設置方法としては、風の流れる方向に対し、垂直に設置すると効果がある。
【００５７】
また、回転ノズル１３は手が左右あるため、左右対称となるように複数配置すると、１個の設置より効果的である。この場合、複数個ある回転ノズル１３の回転軸１２が平行に設置されていると手を横並びに挿入できる使い勝手の良いものとなる。
【００５８】
回転ノズル１３が左回転と右回転となるような逆回転をすることで、左右それぞれの回転ノズル１３の噴流の干渉を防ぐことができるため、水滴が飛散することを防止することができる。
【００５９】
また、回転ノズル１３の外側に静止した防護壁２２を設けて、使用者が回転ノズル１３に接触しにくくすることで安全に使用できるようにしている。
【００６０】
乾燥室３にて回収した水滴は、乾燥室３にあるドレン穴２３を通過して、ドレンタンク２４に一定の量を溜められる。ドレンタンク２４は定期的にメンテナンスされ回収された水滴を廃棄するようになっている。
（参考の形態１０）
本発明の参考の形態１０は、実施の形態１と同一部分については同一番号を付し、詳細な説明は省略する。
【００６１】
図１９及び図２０に示すように、回転ノズル１３に設置された噴流発生部１６の形状をスリット形状の変わりに複数個の孔または楕円とすることで風量、風速を変化させることもできる。例えば直径２〜３ｍｍの孔とすることで手の一点に集中して噴流を当てることができる。
（参考の形態１１）
本発明の参考の形態１１は、実施の形態１と同一部分については同一番号を付し、詳細な説明は省略する。
【００６２】
図２１及び図２２に示すように回転ノズル１３に設置された噴流発生部１６を複数設置させることで、噴流が手に接触する機会が増加し、速やかに水滴を除去することができる。
（参考の形態１２）
本発明の参考の形態１２は、実施の形態１と同一部分については同一番号を付し、詳細な説明は省略する。
【００６３】
図２３及び図２４に示すように回転ノズル１３に設置された噴流発生部１６を複数箇所設け、噴流発生部１６の回転軸１２から最も遠い位置がそれぞれ異なることで、手の各部位での水滴除去に最適な構成を作ることができる。例えば、スリット状の噴流発生部１６を半径方向に複数設置し、且つ回転軸１２に対しそれぞれ角度をつけることにより、それぞれの噴流発生部１６は手の別の部位に噴流を当てることができ、水滴を効率良く除去することができる。
（参考の形態１３）
本発明の参考の形態１３は、実施の形態１と同一部分については同一番号を付し、詳細な説明は省略する。
【００６４】
図２５及び図２６に示すように複数の回転ノズル１３の各々に設置された噴流発生部１６の設置箇所や形状を変化させることで、手の各部位での水滴除去に最適な構成を作ることができる。
（参考の形態１４）
本発明の参考の形態１４は、実施の形態１と同一部分については同一番号を付し、詳細な説明は省略する。
【００６５】
図２７及び図２８に示すように同様に複数の回転ノズル１３の大きさを設置する場所によって変えることで乾燥時間を短縮させることもできる。
（参考の形態１５）
本発明の参考の形態１５は、実施の形態１と同一部分については同一番号を付し、詳細な説明は省略する。
【００６６】
図２９から図３２に示すように回転ノズル１３とは別に静止した静止ノズル２５を有することで、回転ノズル１３だけでは除去できない水滴を除去することができる。
【００６７】
指先の水滴が除去できない場合は、例えば図２９及び図３０に示すように静止ノズル２５が左右にある回転ノズル１３の間に設置することで親指周りの水滴を除去する構成としたり、例えば図３１及び３２に示すように静止ノズル２５が左右にある回転ノズル１３の周辺に設置することで指先や手の側面、指の間などの水滴を除去することで残水の無い乾燥が可能である。
（参考の形態１６）
本発明の参考の形態１６は、実施の形態１と同一部分については同一番号を付し、詳細な説明は省略する。
【００６８】
図３３及び図３４に示すように複数個の回転ノズル１３の各々の回転軸１２を交差させることもできる。例えば、八の字に手を挿入する乾燥室を形成した場合には回転軸１２を交差させるように回転ノズル１３を配置することで、手に垂直に噴流を噴射することができ、乾燥効果の高い手乾燥装置が提供できる。
（参考の形態１７）
本発明の参考の形態１７は、実施の形態１と同一部分については同一番号を付し、詳細な説明は省略する。
【００６９】
図３５に示すように乾燥室３は、ファンモータ５よりも低い位置することで、本体の設置位置を高くすることができ、狭いトイレ空間内においても洗面台の横などに手乾燥装置を設置することができる。
（参考の形態１８）
本発明の参考の形態１８は、実施の形態１と同一部分については同一番号を付し、詳細な説明は省略する。
【００７０】
図３５に示すように少なくとも１組以上の回転ノズル１３が対向するように設置することで挿入された手の両面より噴流を当てることができ、乾燥時間短縮に効果がある。また、対向して設置した回転ノズル１３の回転方向を同一方向または逆回転とすることで水滴の除去方向を制御することができる。
（参考の形態１９）
本発明の参考の形態１９は、実施の形態１と同一部分については同一番号を付し、詳細な説明は省略する。
【００７１】
図３６に示すようにファンモータ５の能力に余裕があり、回転しなくとも十分乾燥時間を満足できる場合や、回転ノズル１３を設置するスペースが無い場合によっては、乾燥室３を形成する面の少なくとも１面は静止ノズル２５のみとすることも可能である。
（参考の形態２０）
本発明の参考の形態２０は、実施の形態１と同一部分については同一番号を付し、詳細な説明は省略する。
【００７２】
図３７に示すようにファンモータ５を２個使用することでさらに風量の増加が可能であるため、乾燥時間短縮に効果がある。また、図３８に示すように流路２０中で合流させる構成とすることで設置する流路は１つとなり、部品点数削減に効果がある。また、図３９に示すようにファンモータ５からの流路２０を２系統とすることで高圧空気の風量や圧力に差を設けてノズル部へ供給する際に有効である。また、図３９に示すようにファンモータ５を乾燥室３の上下に１個づつ配置することも可能である。
【産業上の利用可能性】
【００７３】
本発明にかかる手乾燥装置は、噴流発生部が場所を移動することにより手乾燥を速やかに実施できると共に、噴流発生部を多く設置する必要がないため、ファンモータからの風量を少なくすることができるため本体の消費電力を少なくできるとともに本体の大きさをコンパクトにすることができるという効果がある。
【００７４】
よって、洗面所やトイレ等で手を洗い、濡れた手を乾燥させる装置等に有効であり、また、一般的に液体によって濡れたものを乾燥させる用途としても適用できる。
【図面の簡単な説明】
【００７５】
【図１】本発明の実施の形態１の構造を示す側断面図
【図２】同斜視図
【図３】同実施の形態１の一部の構造を示す側断面図
【図４】同実施の形態１の構造を示す斜視図
【図５】本発明の参考の形態１の構造を示す斜視図
【図６】本発明の参考の形態２の構造を示す斜視図
【図７】本発明の参考の形態３の構造を示す斜視図
【図８】本発明の参考の形態４の構造を示す斜視図
【図９】本発明の参考の形態５の構造を示す斜視図
【図１０】本発明の参考の形態６の構造を示す斜視図
【図１１】同参考の形態６の別の構造を示す斜視図
【図１２】本発明の参考の形態７の構造を示す斜視図
【図１３】本発明の参考の形態８の構造を示す斜視図
【図１４】同側断面図
【図１５】本発明の参考の形態９の構造を示す側断面図
【図１６】同斜視図
【図１７】同斜視図
【図１８】同参考の形態９の一部の構造を示す側断面図
【図１９】本発明の参考の形態１０の構造を示す斜視図
【図２０】同斜視図
【図２１】本発明の参考の形態１１の構造を示す斜視図
【図２２】同斜視図
【図２３】本発明の参考の形態１２の構造を示す斜視図
【図２４】同斜視図
【図２５】本発明の参考の形態１３の構造を示す斜視図
【図２６】同斜視図
【図２７】本発明の参考の形態１４の構造を示す斜視図
【図２８】同斜視図
【図２９】本発明の参考の形態１５の構造を示す斜視図
【図３０】同斜視図
【図３１】本発明の参考の形態１５の別の構造を示す斜視図
【図３２】同斜視図
【図３３】本発明の参考の形態１６の構造を示す斜視図
【図３４】同斜視図
【図３５】本発明の参考の形態１７及び参考の形態１８の構造を示す斜視図
【図３６】本発明の参考の形態１９の構造を示す斜視図
【図３７】本発明の参考の形態２０の構造を示す一部断面を含む斜視図
【図３８】同一部断面を含む斜視図
【図３９】同側断面図
【図４０】従来の手乾燥装置の一例を示す縦断面図
【図４１】同斜視図
【図４２】従来の手乾燥装置の一例を示す斜視図
【図４３】同断面図
【符号の説明】
【００７６】
１ 手乾燥装置
２ ノズル部
３ 乾燥室
４ 処理空間
５ ファンモータ
６ 発熱手段
７ 制御手段
８ 検知手段
９ 吸込口
１０ 軸受
１１ 静止部
１２ 回転軸
１３ 回転ノズル
１４ 高圧部
１５ 大気圧部
１６ 噴流発生部
１７ 噴流発生部設置面
１８ 制御翼
１９ モータ
２０ 流路
２１ バランス調整部
２２ 防護壁
２３ ドレン穴
２４ ドレンタンク
２５ 静止ノズル
２６ 自転装置
２７ 中心点